(57)【要約】  本発明はラック内に空冷装置を設けてなる電子装置に関し、ラックの前面と後面との間で冷却風が流れるよう構成された電子装置において、機器本体の長手方向の側面に操作部が設けられると共に、冷却風が機器本体内を長手方向に通過することにより冷却が行われる構成とされた電子機器と、この機器本体の長手方向がラックの前後方向に沿うよう電子機器を搭載する機器搭載部材と、ラックの前後方向に機器搭載部材をスライドさせるスライド機構を有する。【特許請求の範囲】
【請求項１】
ラックの前面と後面との間で冷却風が流れるよう構成された電子装置において、
機器本体の長手方向の側面に操作部が設けられると共に、冷却風が前記機器本体内を前記長手方向に通過することにより冷却が行われる構成とされた電子機器と、
前記機器本体の長手方向が、前記ラックの前後方向に沿うよう前記電子機器を搭載する機器搭載部材と、
前記ラックの前後方向に前記機器搭載部材をスライドさせるスライド機構と
を有することを特徴とする電子装置。
【請求項２】
請求項１記載の電子装置において、
前記スライド機構は、前記ラック内に着脱可能な構成であることを特徴とする電子装置。
【請求項３】
請求項1記載の電子装置において、
前記機器本体の長手方向の一側面には前記操作部としてコネクタ装着部が設けられており、前記機器搭載部材の前記コネクタ装着部と対向する位置には、前記コネクタ装着部に接続されるケーブルを収納しうる配線収納空間が設けられていることを特徴とする電子装置。
【請求項４】
請求項1記載の電子装置において、
前記機器搭載部材に前記電子機器に接続されるケーブルの移動を規制するケーブル保持部を設けたことを特徴とする電子装置。
【請求項５】
請求項1記載の電子装置において、
前記スライド機構は、前記ラックに固定された第１のレールと、該第１のレールに対し前記ラックの前後方向にスライド可能とされた第2のレールとにより構成されていることを特徴とする電子装置。
【請求項６】
請求項1記載の電子装置において、
前記電子機器はネットワーク製品であることを特徴とする電子装置。
【請求項７】
請求項1記載の電子装置において、
前記ラックは、
前記冷却風の機器本体内における通過方向が、該機器本体の長手方向に設定された第１の電子機器と、
前記冷却風の機器本体内における通過方向が、該機器本体の長手方向に略直行する方向に設定された第2の電子機器とを混載した構成であることを特徴とする電子装置。
【発明の詳細な説明】
【技術分野】
【０００１】
本発明は電子装置に係り、特にラック内に空冷装置を設けてなる電子装置に関する。
【背景技術】
【０００２】
近年、通信装置等の電子装置は、ラック内の標準規格化された等ピッチで区分された領域に、ユニット化された種々の機能を有した電子機器を搭載する方式が主流となっている。具体的には、ラック内に電子機器として、サーバ製品、ストレージ製品、ネットワーク製品を混載することが行われるようになってきている。これに伴い、各電子機器の特性に合わせ、ラック内に電子機器を搭載する構造も種々のものが提案されている（例えば、特許文献１参照）。【０００３】
一方、ラックに搭載される電子機器は、個別に冷却構造を有しているのが一般的である。この際、ラック内では前面吸気／後面排気の冷却構造が一般的であり、従来からラックに収納されて使用されていたサーバ製品及びストレージ製品等（以下、ストレージ製品等という）の電子機器では、このラックの冷却構造に対応させ、電子装置の冷却構造も前面吸気／後面排気の構造とされていた。この場合、冷却風は電子機器の機器本体内を前後方向（機器本体の長手方向に直行する方向）に流れることとなる。
【特許文献１】特開２００１−１４４４６２号公報
【発明の開示】
【発明が解決しようとする課題】
【０００４】
ところで、上記したように近年では、通信装置のラックにストレージ製品等と共にネットワーク製品が混載されることが多くなってきている。このネットワーク製品は、ストレージ製品等と冷却構造が異なっている。即ち、ネットワーク製品は機器本体の正面にケーブルを装着する必要があるため、機器本体の正面に吸気口を設けることができない。これについて、図１を用いて説明する。【０００５】
図１は、ネットワーク製品である電子機器６をラック２に搭載した電子装置１を示している。ラック２は、ラック本体３，ラック正面扉４，及びラック後面扉５により構成されている。尚、同図は電子装置１の横断面図であり、また図中下側が正面側であり、図中上側が後面側である。【０００６】
ラック２は、その内部に複数のマウントアングル８が配設されている。電子機器６は、前方側のマウントアングル８に固定されている。この電子機器６はネットワーク製品であり、よってその正面は多数のケーブル７を装着脱しうる構成とされている。このため電子機器６は、そのケーブル７が配設された操作面６Ｃがラック正面扉４と対向するようラック２内に搭載される。この際、ケーブル７が装着脱される領域を確保するために、電子機器６の長手方向（図中、矢印Ｘ１，Ｘ２方向）に沿った面が操作面６Ｃとなる。【０００７】
前記したように、ラック２内では前面吸気／後面排気の冷却構造が一般的であり、このため冷却風９Ａは図中矢印Ｙ方向に流れることとなる。これに対し、ネットワーク製品である電子機器６は、長手方向面である操作面６Ｃにはケーブル７が配設され、冷却風の吸入口を設けることができず、吸入口は電子機器６の機器本体の左側面６Ａに設けられており、また排気口は機器本体の右側面６Ｂに設けられている。【０００８】
従って、電子機器６においては電子機器６の機器本体内における冷却風９Ｂの流れ方向は前記長手方向（矢印Ｘ１，Ｘ２方向）となり、前記したラック２内を流れる冷却風９Ａの流れ方向と異なる方向となる。このため、従来では電子機器６を適正に冷却することができないという問題点があった。【０００９】
また、図１に示す冷却構造では、操作面６Ｃがマウントアングル８に取り付けられることにより、新規な冷却風９Ａが吸気口（左側面６Ａ）に到達するまでの経路が狭く、よって新規な冷却風９Ａを電子機器６内に供給することができない。更に、右側面６Ｂから排出された昇温した冷却風９Ｂは、ラック２内において図中矢印９Ｃで示すように、再び電子機器６の左側面６Ａの吸入口に戻ってしまい、効率の良い冷却を行うことができないという問題点があった。【００１０】
図１のネットワーク製品である電子機器６をラックに搭載した時の電子装置全体を図４に示す。電子装置１０では、ラック正面扉１４の開口部から吸気して、電子機器を通過した空気は、ラック後面扉１５から排気される。通常、ラック１２には電子機器が隙間無く搭載され、隙間が出来た場合は塞ぎ板１００を用いて電子機器の排気が電子機器の正面側に戻らないように、吸気エリアと排気エリアを分離することで、適正な冷却が行われる。【００１１】
図１の電子機器６は図４のネットワーク製品１１Ｂに相当するが、図４に示す通りネットワーク製品１１Ｂのケーブルを処理するため、ネットワーク製品１１Ｂの下側（乃至上側）に処理スペース１０１が設けられる場合がある。この処理スペース１０１が吸気エリアと排気エリアを短絡して、電子機器の排気が電子機器の吸入口に戻ってしまい、効率の良い冷却を行うことができないという問題があった。
【課題を解決するための手段】
【００１２】
本発明は、上述した従来技術の課題を解決する、改良された有用な電子装置を提供することを総括的な目的とする。【００１３】
本発明のより詳細な目的は、機器本体内における冷却風の通過方向が異なる種々の電子装置をラック内に混載することを可能とした電子装置を提供することにある。【００１４】
この目的を達成するため、本発明では、ラックの前面と後面との間で冷却風が流れるよう構成された電子装置において、機器本体の長手方向の側面に操作部が設けられると共に、冷却風が前記機器本体内を前記長手方向に通過することにより冷却が行われる構成とされた電子機器と、前記機器本体の長手方向が前記ラックの前後方向に沿うよう前記電子機器を搭載する機器搭載部材と、前記ラックの前後方向に前記機器搭載部材をスライドさせるスライド機構とを有することを特徴とする。【００１５】
上記発明によれば、冷却風の通過方向が機器本体の長手方向に設定された電子機器であっても、電子機器が機器本体の長手方向がラック内を流れる冷却風の流れ方向に沿うよう機器搭載部材に搭載されるため、電子機器を確実に冷却することができる。また、機器本体の長手方向の側面に操作部が設けられていても、スライド機構により機器搭載部材がラック内でラック内を流れる冷却風の流れ方向にスライド可能な構成とされている。このため、電子機器の操作部がラックの正面に向いていなくても、機器搭載部材を引き出すことにより操作部を操作することが可能となり、よって冷却を確実に行いつつ電子機器に対する操作性を維持することができる。【００１６】
また、上記発明において、前記スライド機構を前記ラック内に着脱可能な構成としてもよい。【００１７】
上記構成とすることにより、スライド機構を取り外すことにより、他の構成の電子機器(例えば、冷却風の機器本体内における通過方向が、機器本体の長手方向に略直行する方向に設定された電子機器)を搭載することが可能となる。【００１８】
また、上記発明において、前記機器本体の長手方向の側面に前記操作部としてコネクタ装着部を設け、前記機器搭載部材の前記コネクタ装着部と対向する位置に前記コネクタ装着部に接続されるケーブルを収納しうる配線収納空間を設けた構成としてもよい。【００１９】
この構成とすることにより、機器本体の長手方向の側面に操作部としてコネクタ装着部を設けても、機器搭載部材上に配線収納空間が設けられているため、コネクタ装着部がラック正面になくても、ラック内においてケーブルが邪魔になるようなことはない。【００２０】
また、上記発明において、前記機器搭載部材に前記電子機器に接続されるケーブルの移動を規制するケーブル保持部を設けた構成としてもよい。【００２１】
この構成とすることにより、機器搭載部材が移動してもケーブルが電子機器から外れてしまうことを防止できる。【００２２】
また、上記発明において、前記スライド機構を、前記ラックに固定された第１のレールと、該第１のレールに対し前記ラックの前後方向にスライド可能とされた第2のレールとにより構成してもよい。【００２３】
また、上記発明において、前記電子機器としてネットワーク製品を用いることができる。【００２４】
また、上記発明において、前記ラックは、前記冷却風の機器本体内における通過方向が、該機器本体の長手方向に設定された第１の電子機器と、前記冷却風の機器本体内における通過方向が、該機器本体の長手方向に略直行する方向に設定された第2の電子機器とを混載した構成としてもよい。【００２５】
この構成によれば、1台のラックに種々の機能を有した電子機器が搭載されるため、通信機器の多機能化に対応することができる。
【発明の効果】
【００２６】
本発明によれば、冷却風の通過方向が機器本体の長手方向に設定された電子機器であっても確実に冷却することができ、また機器本体の長手方向の側面に操作部が設けられていても、機器搭載部材を引き出すことにより操作部を操作することが可能となり、よって冷却を確実に行いつつ電子機器に対する操作性を維持することができる。
【図面の簡単な説明】
【００２７】
【図１】従来の一例である電子装置の概略構成図である。
【図２】本発明の一実施例である電子装置の概略構成図であり、機器搭載部材がラック内に引き込まれた状態を示す図である。
【図３】本発明の一実施例である電子装置の概略構成図であり、機器搭載部材がラックから引き出された状態を示す図である。
【図４】本発明の一実施例である電子装置の外観を示す斜視図である。
【図５】本発明の一実施例である電子装置の電子機器近傍を拡大して示す斜視図であり、機器搭載部材がラック内に引き込まれた状態を示す図である。
【図６】本発明の一実施例である電子装置の電子機器近傍を拡大して示す斜視図であり、機器搭載部材がラックから引き出された状態を示す図である。
【図７】機器搭載部材を拡大して示す斜視図である。
【図８】電子機器を搭載した機器搭載部材を拡大して示す斜視図である。
【符号の説明】
【００２８】
１０    電子装置
１２    ラック
１６    電子機器
１６ａ    装置本体
１８    マウントアングル
１９    冷却風
２０    機器搭載部材
２１    スライド機器
２２    信号ケーブル
２３    ケーブル保持部
２４    操作面
２７    信号ケーブル
２９    伸縮アーム
３０    ケーブルスペース
３３    フロントパネル
３４    バックパネル
３５    吸気開口部
３６    排気開口部
３７    ケーブル取り出し部
３８    機器取り付け部
４２    吸気部
４３    排気部
４４    コネクタ部
【発明を実施するための最良の形態】
【００２９】
次に、本発明を実施するための最良の形態について図面と共に説明する。【００３０】
図２及び図３は本発明の一実施例である電子装置１０の基本構成を示す図であり、図４乃至図８は電子装置１０の詳細説明図である。本実施例では図４に示すように、電子装置１０として、図４に示すようにラック１２にストレージ製品１７等と共にネットワーク製品１１Ａが混載される通信装置を例に挙げて説明するものとする。【００３１】
尚、本願発明の特徴はネットワーク製品１１Ａをラック１２に取り付ける構造にあり、ストレージ製品１７等のラック１２への取付け構造については従来と変わるところはないため、以下の説明においてはネットワーク製品１１Ａをラック１２へ取付ける構造についてのみ説明するものとする。【００３２】
各図に示すように、電子装置１０は、大略するとラック１２、電子機器１６、機器搭載部材２０、スライド機器２１、及び信号ケーブル２７等により構成されている。【００３３】
ラック１２は、図４に拡大して示すように、筐体形状とされたラック本体１３と、このラック本体１３の前面側を開閉するラック前面扉１４と、後面側（背面側）を開閉するラック後面扉１５とにより構成されている。このラック１２の内部には複数（本実施例の場合には４本）のマウントアングル１８が設けられている。【００３４】
このラック１２内には、図示しない送風装置が設けられており、ラック１２に搭載される電子機器には送風装置が内蔵されており、この送風装置により生成される冷却風がラック１２内を前面側から後面側に流れる構成とされている。即ち、本実施例で用いるラック１２も、前面吸気／後面（背面）排気の構造となっている。ラック１２内に積層して配置されるネットワーク製品１１及びストレージ製品１７は、前面側から後面側に向け（図中、矢印Ｙ１方向）流れる冷却風により冷却処理が行われる。【００３５】
尚、このラック１２は、図１に示した従来のラック２と同様に、後述する電子機器１６を操作面２４が図中矢印Ｘ１，Ｘ２方向に沿った方向に対しても搭載しうるものである。しかしながら、後に詳述するように本実施例では、電子機器１６を操作面２４が図中矢印Ｙ１，Ｙ２方向に沿うよう搭載することを特徴としている。【００３６】
機器搭載部材２０は、図６及び図８に拡大して示すように有底矩形形状を有しており、前方となる矢印Ｙ２方向端部にフロントパネル３３が設けられると共に、後方となる矢印Ｙ１方向端部にバックパネル３４を設けた構成としている。フロントパネル３３には、吸気開口部３５及び折り曲げ部３９が設けられている。また、バックパネル３４には排気開口部３６及びケーブル取り出し部３７が設けられている。更に、各パネル３３，３４の内側には、電子機器１６を装着するための機器取り付け部３８が形成されている。【００３７】
電子機器１６は前記したようにネットワーク製品１１であり、機器本体１６ａの長手方向（図中矢印Ｙ１，Ｙ２方向）に延在する操作面２４には複数のコネクタ装着部４０（図５，図６参照）が設けられている。このコネクタ装着部４０には、信号ケーブル２７の端部に設けられたコネクタ部４４が装着される。これにより、電子機器１６は信号ケーブル２７と電気的に接続された状態となる。また、電子機器１６の機器本体１６ａは、矢印Ｙ２方向側の側面２６に吸気部４２が形成されており、矢印Ｙ１方向側の信号ケーブル２７に排気部４３が形成されている。【００３８】
上記構成とされた電子機器１６は、機器搭載部材２０に対して機器本体１６ａの長手方向がラック１６内を流れる冷却風の流れ方向に沿うよう搭載される。即ち、操作面２４の延在方向が図中矢印Ｙ１，Ｙ２方向と略一致した方向となるよう、電子機器１６は機器搭載部材２０に搭載される。【００３９】
この際、電子機器１６は機器搭載部材２０に対して、吸気部４２が設けられた側面２５がフロントパネル３３と対向するよう、排気部４３が設けられた側面２６がバックパネル３４と対向するよう搭載される。また、この搭載状態において、機器本体１６ａに設けられた吸気部４２はフロントパネル３３に形成された吸気開口部３５と対向し、排気部４３はバックパネル３４に形成された排気開口部３６と対向した状態となる（図５及び図８参照）。【００４０】
前記したように、ラック１２は前面吸気／後面排気の構造とされており、冷却風１９は図中矢印Ｙ１方向に流れる。このため、冷却風１９はフロントパネル３３の吸気開口部３５を介して機器本体１６ａの吸気部４２に流入し、機器本体１６ａ内を通過して電子機器１６内の電子部品を冷却した後、側面２６に形成されている排気部４３から排出される。また、排気部４３から排出された昇温した冷却風１９は、バックパネル３４に形成された排気開口部３６を介して機器搭載部材２０の外部に排気される。【００４１】
このように本実施例によれば、電子機器１６が冷却風の通過方向が機器本体１６ａの長手方向に設定されたネットワーク製品であっても、機器本体１６ａの長手方向がラック１２の前後方向に沿うよう機器搭載部材２０に搭載されることにより、電子機器１６に対して冷却風１９を吸気部４２から流入させ排気部４３から排気できるため、電子機器１６内に配設された発熱部品を確実に冷却することができる。【００４２】
ところで、電子機器１６が操作面２４の延在方向が図中矢印Ｙ１，Ｙ２方向と略一致した方向となるよう機器搭載部材２０に搭載されることにより、機器搭載部材２０内において電子機器１６の両側部分（Ｘ１，Ｘ２方向部分）には間隙が形成される。本実施例では、機器搭載部材２０の電子機器１６の操作面２４の前方部分に間隙３０が形成されるよう構成されている。コネクタ装着部４０に装着される信号ケーブル２７は、この間隙３０を利用してコネクタ装着部４０に接続される（以下、この間隙３０をケーブルスペース３０という）。【００４３】
このように、機器搭載部材２０内において、コネクタ装着部４０と対向する位置にケーブルスペース３０が形成されることにより、信号ケーブル２７が機器搭載部材２０内で邪魔になるようなことはなく、また信号ケーブル２７の端部に配設されたコネクタ部４４をコネクタ装着部４０に容易に装着脱することができる。【００４４】
また、コネクタ装着部４０が矢印Ｘ１方向に向いているのに対し、信号ケーブル２７は機器搭載部材２０のケーブル取り出し部３７から矢印Ｙ１方向に引き出す必要がある。このため、信号ケーブル２７を折り曲げる必要があるが、コネクタ装着部４０と対向する位置にケーブルスペース３０が形成されることにより、無理な折り曲げを行う必要がなくなり、信号ケーブル２７に過剰な負荷を与えることを防止できる。【００４５】
一方、上記のようにコネクタ装着部４０が設けられた操作面２４は、ラック１２のラック正面扉４が配設位置と異なる方向（Ｘ１方向）を向いている。このため、機器搭載部材２０がラック１２内に固定された構成では、電子機器１６に設けられたコネクタ装着部４０に対し、信号ケーブル２７のコネクタ部４４を装着脱することは困難となる。このため、本実施例ではスライド機器２１を設け、機器搭載部材２０がラック１２の前後方向（矢印Ｙ１，Ｙ２方向）にスライドできる構成としている。【００４６】
スライド機器２１は、伸縮アーム２９，固定レール３１，及び移動レール３２等により構成されている。伸縮アーム２９は、第１のアーム部２９Ａ，第２のアーム部２９Ｂ，及び蝶番４１等により構成されている。伸縮アーム部２９Ａの一端は蝶番４１により機器搭載部材２０に接続されると共に、他端は４１により伸縮アーム部２９Ｂの一端に接続されている。また、伸縮アーム部２９Ｂの他端は、蝶番４１によりマウントアングル１８に固定されている。【００４７】
この構成とすることにより、伸縮アーム２９は中央に配置された蝶番４１を中心として各アーム部２９Ａ，２９Ｂが折り曲がった状態と、略直線状に伸びた状態に可変する。これに伴い、機器搭載部材２０は矢印Ｙ１，Ｙ２方向に移動する。この際、信号ケーブル２７は機器搭載部材２０に形成されたケーブル取り出し部３７よりも内側位置においては纏められていないが、ケーブル取り出し部３７よりも外側位置においてケーブル保持部２３により纏めて保持されている。【００４８】
また、ケーブル保持部２３の配設位置よりも後方（矢印Ｙ１方向）においては、信号ケーブル２７はケーブル固定帯４６により伸縮アーム２９（アーム部２９Ａ，２９Ｂ）に固定されている。これにより、電子機器１６に接続される信号ケーブル２７が多数存在しても、この信号ケーブル２７が機器搭載部材２０のスライド動作において邪魔になるようなことはない。また、信号ケーブル２７はケーブル保持部２３で保持されているため、機器搭載部材２０が移動しても信号ケーブル２７（コネクタ部４４）が機器本体１６ａからから外れてしまうことを防止できる。【００４９】
固定レール３１は、前方左側のマウントアングル１８と後方左側のマウントアングル１８との間と、前方右側のマウントアングル１８と後方右側のマウントアングル１８との間にそれぞれ固定されている。この左右一対の各固定レール３１には、図中矢印Ｙ１，Ｙ２方向にスライド可能な構成とされた移動レール３２が配設されている。この移動レール３２は、前記した機器搭載部材２０に配設されている。従って、スライド機器２１により機器搭載部材２０はラック１２の前後方向（Ｙ１，Ｙ２方向に）に移動可能な構成となる。【００５０】
図２及び図５は機器搭載部材２０がラック１２内に収納された状態を示しており、図３及び図６は機器搭載部材２０がラック１２から引き出された状態を示している。このように、本実施例では機器搭載部材２０がラック１２から引き出された状態で、電子機器１６はラック１２から引き出されて外部に露出した状態となる。このため、機器本体１６ａの長手方向の側面に操作面２４が設けられていても、機器搭載部材２０をスライド機構２１によりラック１２から引き出すことによりコネクタ装着部４０に対してコネクタ部４４を装着脱することが可能となる。よって、本実施例によれば、電子機器１６に対する冷却を確実に行いつつ、メンテナンス時等における電子機器１６に対する操作性を向上させることができる。【００５１】
尚、上記した実施例では、機器搭載部材２０及びスライド機器２１をマウントアングル１８に固定した構成を示したが、機器搭載部材２０及びスライド機器２１をマウントアングル１８に対して機器搭載部材２０及びスライド機器２１を着脱自在な構成としてもよい。これにより、ラック１２内にネットワーク製品とストレージ製品等とを混載する処理を容易化することができる。【００５２】
この際、ラック１２内には、冷却風１９の機器本体１６ａ内における通過方向が長手方向に設定されたネットワーク製品と、冷却風の機器本体内における通過方向が機器本体の長手方向に略直行する方向に設定されたストレージ製品等とが混載された構成となる。【００５３】
以上のような構成を用いることで、図４のケーブル処理スペース１０１が不要となり、電子装置１０への電子機器搭載効率を向上することが可能となる。
【図１】
2006103731.tif 000002
【図２】
2006103731.tif 000003
【図３】
2006103731.tif 000004
【図４】
2006103731.tif 000005
【図５】
2006103731.tif 000006
【図６】
2006103731.tif 000007
【図７】
2006103731.tif 000008
【図８】
2006103731.tif 000009
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
ラックの前面と後面との間で冷却風が流れるよう構成された電子装置において、
機器本体の長手方向の側面に操作部が設けられると共に、冷却風が前記機器本体内を前記長手方向に通過することにより冷却が行われる構成とされた電子機器と、
前記機器本体の長手方向が、前記ラックの前後方向に沿うよう前記電子機器を搭載する機器搭載部材と、
前記ラックの前後方向に前記機器搭載部材をスライドさせるスライド機構と
を有することを特徴とする電子装置。
【請求項２】
請求項１記載の電子装置において、
前記スライド機構は、前記ラック内に着脱可能な構成であることを特徴とする電子装置。
【請求項３】
請求項１記載の電子装置において、
前記機器本体の長手方向の一側面には前記操作部としてコネクタ装着部が設けられており、前記機器搭載部材の前記コネクタ装着部と対向する位置には、前記コネクタ装着部に接続されるケーブルを収納しうる配線収納空間が設けられていることを特徴とする電子装置。
【請求項４】
請求項１記載の電子装置において、
前記スライド機構は、前記ラックに固定された第１のレールと、該第１のレールに対し前記ラックの前後方向にスライド可能とされた第2のレールとにより構成されていることを特徴とする電子装置。
【請求項５】
請求項１記載の電子装置において、
前記ラックは、
前記冷却風の機器本体内における通過方向が、該機器本体の長手方向に設定された第１の電子機器と、
前記冷却風の機器本体内における通過方向が、該機器本体の長手方向に略直行する方向に設定された第2の電子機器とを混載した構成であることを特徴とする電子装置。
【手続補正２】
【補正対象書類名】明細書
【補正対象項目名】全文
【補正方法】変更
【補正の内容】
【発明の詳細な説明】
【技術分野】
【０００１】
本発明は電子装置に係り、特にラック内に空冷装置を設けてなる電子装置に関する。
【背景技術】
【０００２】
近年、通信装置等の電子装置は、ラック内の標準規格化された等ピッチで区分された領域に、ユニット化された種々の機能を有した電子機器を搭載する方式が主流となっている。具体的には、ラック内に電子機器として、サーバ製品、ストレージ製品、ネットワーク製品を混載することが行われるようになってきている。これに伴い、各電子機器の特性に合わせ、ラック内に電子機器を搭載する構造も種々のものが提案されている（例えば、特許文献１参照）。
【０００３】
一方、ラックに搭載される電子機器は、個別に冷却構造を有しているのが一般的である。この際、ラック内では前面吸気／後面排気の冷却構造が一般的であり、従来からラックに収納されて使用されていたサーバ製品及びストレージ製品等（以下、ストレージ製品等という）の電子機器では、このラックの冷却構造に対応させ、電子装置の冷却構造も前面吸気／後面排気の構造とされていた。この場合、冷却風は電子機器の機器本体内を前後方向（機器本体の長手方向に直行する方向）に流れることとなる。
【特許文献１】特開２００１−１４４４６２号公報
【発明の開示】
【発明が解決しようとする課題】
【０００４】
ところで、上記したように近年では、通信装置のラックにストレージ製品等と共にネットワーク製品が混載されることが多くなってきている。このネットワーク製品は、ストレージ製品等と冷却構造が異なっている。即ち、ネットワーク製品は機器本体の正面にケーブルを装着する必要があるため、機器本体の正面に吸気口を設けることができない。これについて、図１を用いて説明する。
【０００５】
図１は、ネットワーク製品である電子機器６をラック２に搭載した電子装置１を示している。ラック２は、ラック本体３，ラック正面扉４，及びラック後面扉５により構成されている。尚、同図は電子装置１の横断面図であり、また図中下側が正面側であり、図中上側が後面側である。
【０００６】
ラック２は、その内部に複数のマウントアングル８が配設されている。電子機器６は、前方側のマウントアングル８に固定されている。この電子機器６はネットワーク製品であり、よってその正面は多数のケーブル７を装着脱しうる構成とされている。このため電子機器６は、そのケーブル７が配設された操作面６Ｃがラック正面扉４と対向するようラック２内に搭載される。この際、ケーブル７が装着脱される領域を確保するために、電子機器６の長手方向（図中、矢印Ｘ１，Ｘ２方向）に沿った面が操作面６Ｃとなる。
【０００７】
前記したように、ラック２内では前面吸気／後面排気の冷却構造が一般的であり、このため冷却風９Ａは図中矢印Ｙ方向に流れることとなる。これに対し、ネットワーク製品である電子機器６は、長手方向面である操作面６Ｃにはケーブル７が配設され、冷却風の吸入口を設けることができず、吸入口は電子機器６の機器本体の左側面６Ａに設けられており、また排気口は機器本体の右側面６Ｂに設けられている。
【０００８】
従って、電子機器６においては電子機器６の機器本体内における冷却風９Ｂの流れ方向は前記長手方向（矢印Ｘ１，Ｘ２方向）となり、前記したラック２内を流れる冷却風９Ａの流れ方向と異なる方向となる。このため、従来では電子機器６を適正に冷却することができないという問題点があった。
【０００９】
また、図１に示す冷却構造では、操作面６Ｃがマウントアングル８に取付けられることにより、新規な冷却風９Ａが吸気口（左側面６Ａ）に到達するまでの経路が狭く、よって新規な冷却風９Ａを電子機器６内に供給することができない。更に、右側面６Ｂから排出された昇温した冷却風９Ｂは、ラック２内において図中矢印９Ｃで示すように、再び電子機器６の左側面６Ａの吸入口に戻ってしまい、効率の良い冷却を行うことができないという問題点があった。
【００１０】
図１のネットワーク製品である電子機器６をラックに搭載した時の電子装置全体を図４に示す。電子装置１０では、ラック正面扉１４の開口部から吸気して、電子機器を通過した空気は、ラック後面扉１５から排気される。通常、ラック１２には電子機器が隙間無く搭載され、隙間が出来た場合は塞ぎ板１００を用いて電子機器の排気が電子機器の正面側に戻らないように、吸気エリアと排気エリアを分離することで、適正な冷却が行われる。
【００１１】
図１の電子機器６は図４のネットワーク製品１１Ｂに相当するが、図４に示す通りネットワーク製品１１Ｂのケーブルを処理するため、ネットワーク製品１１Ｂの下側（乃至上側）に処理スペース１０１が設けられる場合がある。この処理スペース１０１が吸気エリアと排気エリアを短絡して、電子機器の排気が電子機器の吸入口に戻ってしまい、効率の良い冷却を行うことができないという問題があった。
【００１２】
本発明は、上述した従来技術の課題を解決する、改良された有用な電子装置を提供することを総括的な目的とする。
【００１３】
本発明のより詳細な目的は、機器本体内における冷却風の通過方向が異なる種々の電子装置をラック内に混載することを可能とした電子装置を提供することにある。
【課題を解決するための手段】
【００１４】
この目的を達成するため、本発明では、ラックの前面と後面との間で冷却風が流れるよう構成された電子装置において、機器本体の長手方向の側面に操作部が設けられると共に、冷却風が前記機器本体内を前記長手方向に通過することにより冷却が行われる構成とされた電子機器と、前記機器本体の長手方向が前記ラックの前後方向に沿うよう前記電子機器を搭載する機器搭載部材と、前記ラックの前後方向に前記機器搭載部材をスライドさせるスライド機構とを有することを特徴とする。
【００１５】
上記発明によれば、冷却風の通過方向が機器本体の長手方向に設定された電子機器であっても、電子機器が機器本体の長手方向がラック内を流れる冷却風の流れ方向に沿うよう機器搭載部材に搭載されるため、電子機器を確実に冷却することができる。また、機器本体の長手方向の側面に操作部が設けられていても、スライド機構により機器搭載部材がラック内でラック内を流れる冷却風の流れ方向にスライド可能な構成とされている。このため、電子機器の操作部がラックの正面に向いていなくても、機器搭載部材を引き出すことにより操作部を操作することが可能となり、よって冷却を確実に行いつつ電子機器に対する操作性を維持することができる。
【００１６】
また、上記発明において、前記スライド機構を前記ラック内に着脱可能な構成としてもよい。
【００１７】
上記構成とすることにより、スライド機構を取り外すことにより、他の構成の電子機器(例えば、冷却風の機器本体内における通過方向が、機器本体の長手方向に略直行する方向に設定された電子機器)を搭載することが可能となる。
【００１８】
また、上記発明において、前記機器本体の長手方向の側面に前記操作部としてコネクタ装着部を設け、前記機器搭載部材の前記コネクタ装着部と対向する位置に前記コネクタ装着部に接続されるケーブルを収納しうる配線収納空間を設けた構成としてもよい。
【００１９】
この構成とすることにより、機器本体の長手方向の側面に操作部としてコネクタ装着部を設けても、機器搭載部材上に配線収納空間が設けられているため、コネクタ装着部がラック正面になくても、ラック内においてケーブルが邪魔になるようなことはない。
【００２０】
また、上記発明において、前記スライド機構を、前記ラックに固定された第１のレールと、該第１のレールに対し前記ラックの前後方向にスライド可能とされた第2のレールとにより構成してもよい。
【００２１】
また、上記発明において、前記ラックは、前記冷却風の機器本体内における通過方向が、該機器本体の長手方向に設定された第１の電子機器と、前記冷却風の機器本体内における通過方向が、該機器本体の長手方向に略直行する方向に設定された第2の電子機器とを混載した構成としてもよい。
【００２２】
この構成によれば、1台のラックに種々の機能を有した電子機器が搭載されるため、通信機器の多機能化に対応することができる。
【発明の効果】
【００２３】
本発明によれば、冷却風の通過方向が機器本体の長手方向に設定された電子機器であっても確実に冷却することができ、また機器本体の長手方向の側面に操作部が設けられていても、機器搭載部材を引き出すことにより操作部を操作することが可能となり、よって冷却を確実に行いつつ電子機器に対する操作性を維持することができる。
【発明を実施するための最良の形態】
【００２４】
次に、本発明を実施するための最良の形態について図面と共に説明する。
【００２５】
図２及び図３は本発明の一実施例である電子装置１０の基本構成を示す図であり、図４乃至図８は電子装置１０の詳細説明図である。本実施例では図４に示すように、電子装置１０として、図４に示すようにラック１２にストレージ製品１７等と共にネットワーク製品１１Ａが混載される通信装置を例に挙げて説明するものとする。
【００２６】
尚、本願発明の特徴はネットワーク製品１１Ａをラック１２に取付ける構造にあり、ストレージ製品１７等のラック１２への取付け構造については従来と変わるところはないため、以下の説明においてはネットワーク製品１１Ａをラック１２へ取付ける構造についてのみ説明するものとする。
【００２７】
各図に示すように、電子装置１０は、大略するとラック１２、電子機器１６、機器搭載部材２０、スライド機器２１、及び信号ケーブル２７等により構成されている。
【００２８】
ラック１２は、図４に拡大して示すように、筐体形状とされたラック本体１３と、このラック本体１３の前面側を開閉するラック前面扉１４と、後面側（背面側）を開閉するラック後面扉１５とにより構成されている。このラック１２の内部には複数（本実施例の場合には４本）のマウントアングル１８が設けられている。
【００２９】
このラック１２内には、図示しない送風装置が設けられており、ラック１２に搭載される電子機器には送風装置が内蔵されており、この送風装置により生成される冷却風がラック１２内を前面側から後面側に流れる構成とされている。即ち、本実施例で用いるラック１２も、前面吸気／後面（背面）排気の構造となっている。ラック１２内に積層して配置されるネットワーク製品１１及びストレージ製品１７は、前面側から後面側に向け（図中、矢印Ｙ１方向）流れる冷却風により冷却処理が行われる。
【００３０】
尚、このラック１２は、図１に示した従来のラック２と同様に、後述する電子機器１６を操作面２４が図中矢印Ｘ１，Ｘ２方向に沿った方向に対しても搭載しうるものである。しかしながら、後に詳述するように本実施例では、電子機器１６を操作面２４が図中矢印Ｙ１，Ｙ２方向に沿うよう搭載することを特徴としている。
【００３１】
機器搭載部材２０は、図６及び図８に拡大して示すように有底矩形形状を有しており、前方となる矢印Ｙ２方向端部にフロントパネル３３が設けられると共に、後方となる矢印Ｙ１方向端部にバックパネル３４を設けた構成としている。フロントパネル３３には、吸気開口部３５及び折り曲げ部３９が設けられている。また、バックパネル３４には排気開口部３６及びケーブル取り出し部３７が設けられている。更に、各パネル３３，３４の内側には、電子機器１６を装着するための機器取付け部３８が形成されている。
【００３２】
電子機器１６は前記したようにネットワーク製品１１であり、機器本体１６ａの長手方向（図中矢印Ｙ１，Ｙ２方向）に延在する操作面２４には複数のコネクタ装着部４０（図５，図６参照）が設けられている。このコネクタ装着部４０には、信号ケーブル２７の端部に設けられたコネクタ部４４が装着される。これにより、電子機器１６は信号ケーブル２７と電気的に接続された状態となる。また、電子機器１６の機器本体１６ａは、矢印Ｙ２方向側の側面２６に吸気部４２が形成されており、矢印Ｙ１方向側の信号ケーブル２７に排気部４３が形成されている。
【００３３】
上記構成とされた電子機器１６は、機器搭載部材２０に対して機器本体１６ａの長手方向がラック１６内を流れる冷却風の流れ方向に沿うよう搭載される。即ち、操作面２４の延在方向が図中矢印Ｙ１，Ｙ２方向と略一致した方向となるよう、電子機器１６は機器搭載部材２０に搭載される。
【００３４】
この際、電子機器１６は機器搭載部材２０に対して、吸気部４２が設けられた側面２５がフロントパネル３３と対向するよう、排気部４３が設けられた側面２６がバックパネル３４と対向するよう搭載される。また、この搭載状態において、機器本体１６ａに設けられた吸気部４２はフロントパネル３３に形成された吸気開口部３５と対向し、排気部４３はバックパネル３４に形成された排気開口部３６と対向した状態となる（図５及び図８参照）。
【００３５】
前記したように、ラック１２は前面吸気／後面排気の構造とされており、冷却風１９は図中矢印Ｙ１方向に流れる。このため、冷却風１９はフロントパネル３３の吸気開口部３５を介して機器本体１６ａの吸気部４２に流入し、機器本体１６ａ内を通過して電子機器１６内の電子部品を冷却した後、側面２６に形成されている排気部４３から排出される。また、排気部４３から排出された昇温した冷却風１９は、バックパネル３４に形成された排気開口部３６を介して機器搭載部材２０の外部に排気される。
【００３６】
このように本実施例によれば、電子機器１６が冷却風の通過方向が機器本体１６ａの長手方向に設定されたネットワーク製品であっても、機器本体１６ａの長手方向がラック１２の前後方向に沿うよう機器搭載部材２０に搭載されることにより、電子機器１６に対して冷却風１９を吸気部４２から流入させ排気部４３から排気できるため、電子機器１６内に配設された発熱部品を確実に冷却することができる。
【００３７】
ところで、電子機器１６が操作面２４の延在方向が図中矢印Ｙ１，Ｙ２方向と略一致した方向となるよう機器搭載部材２０に搭載されることにより、機器搭載部材２０内において電子機器１６の両側部分（Ｘ１，Ｘ２方向部分）には間隙が形成される。本実施例では、機器搭載部材２０の電子機器１６の操作面２４の前方部分に間隙３０が形成されるよう構成されている。コネクタ装着部４０に装着される信号ケーブル２７は、この間隙３０を利用してコネクタ装着部４０に接続される（以下、この間隙３０をケーブルスペース３０という）。
【００３８】
このように、機器搭載部材２０内において、コネクタ装着部４０と対向する位置にケーブルスペース３０が形成されることにより、信号ケーブル２７が機器搭載部材２０内で邪魔になるようなことはなく、また信号ケーブル２７の端部に配設されたコネクタ部４４をコネクタ装着部４０に容易に装着脱することができる。
【００３９】
また、コネクタ装着部４０が矢印Ｘ１方向に向いているのに対し、信号ケーブル２７は機器搭載部材２０のケーブル取り出し部３７から矢印Ｙ１方向に引き出す必要がある。このため、信号ケーブル２７を折り曲げる必要があるが、コネクタ装着部４０と対向する位置にケーブルスペース３０が形成されることにより、無理な折り曲げを行う必要がなくなり、信号ケーブル２７に過剰な負荷を与えることを防止できる。
【００４０】
一方、上記のようにコネクタ装着部４０が設けられた操作面２４は、ラック１２のラック正面扉４が配設位置と異なる方向（Ｘ１方向）を向いている。このため、機器搭載部材２０がラック１２内に固定された構成では、電子機器１６に設けられたコネクタ装着部４０に対し、信号ケーブル２７のコネクタ部４４を装着脱することは困難となる。このため、本実施例ではスライド機器２１を設け、機器搭載部材２０がラック１２の前後方向（矢印Ｙ１，Ｙ２方向）にスライドできる構成としている。
【００４１】
スライド機器２１は、伸縮アーム２９，固定レール３１，及び移動レール３２等により構成されている。伸縮アーム２９は、第１のアーム部２９Ａ，第２のアーム部２９Ｂ，及び蝶番４１等により構成されている。伸縮アーム部２９Ａの一端は蝶番４１により機器搭載部材２０に接続されると共に、他端は４１により伸縮アーム部２９Ｂの一端に接続されている。また、伸縮アーム部２９Ｂの他端は、蝶番４１によりマウントアングル１８に固定されている。
【００４２】
この構成とすることにより、伸縮アーム２９は中央に配置された蝶番４１を中心として各アーム部２９Ａ，２９Ｂが折り曲がった状態と、略直線状に伸びた状態に可変する。これに伴い、機器搭載部材２０は矢印Ｙ１，Ｙ２方向に移動する。この際、信号ケーブル２７は機器搭載部材２０に形成されたケーブル取り出し部３７よりも内側位置においては纏められていないが、ケーブル取り出し部３７よりも外側位置においてケーブル保持部２３により纏めて保持されている。
【００４３】
また、ケーブル保持部２３の配設位置よりも後方（矢印Ｙ１方向）においては、信号ケーブル２７はケーブル固定帯４６により伸縮アーム２９（アーム部２９Ａ，２９Ｂ）に固定されている。これにより、電子機器１６に接続される信号ケーブル２７が多数存在しても、この信号ケーブル２７が機器搭載部材２０のスライド動作において邪魔になるようなことはない。また、信号ケーブル２７はケーブル保持部２３で保持されているため、機器搭載部材２０が移動しても信号ケーブル２７（コネクタ部４４）が機器本体１６ａからから外れてしまうことを防止できる。
【００４４】
固定レール３１は、前方左側のマウントアングル１８と後方左側のマウントアングル１８との間と、前方右側のマウントアングル１８と後方右側のマウントアングル１８との間にそれぞれ固定されている。この左右一対の各固定レール３１には、図中矢印Ｙ１，Ｙ２方向にスライド可能な構成とされた移動レール３２が配設されている。この移動レール３２は、前記した機器搭載部材２０に配設されている。従って、スライド機器２１により機器搭載部材２０はラック１２の前後方向（Ｙ１，Ｙ２方向に）に移動可能な構成となる。
【００４５】
図２及び図５は機器搭載部材２０がラック１２内に収納された状態を示しており、図３及び図６は機器搭載部材２０がラック１２から引き出された状態を示している。このように、本実施例では機器搭載部材２０がラック１２から引き出された状態で、電子機器１６はラック１２から引き出されて外部に露出した状態となる。このため、機器本体１６ａの長手方向の側面に操作面２４が設けられていても、機器搭載部材２０をスライド機構２１によりラック１２から引き出すことによりコネクタ装着部４０に対してコネクタ部４４を装着脱することが可能となる。よって、本実施例によれば、電子機器１６に対する冷却を確実に行いつつ、メンテナンス時等における電子機器１６に対する操作性を向上させることができる。
【００４６】
尚、上記した実施例では、機器搭載部材２０及びスライド機器２１をマウントアングル１８に固定した構成を示したが、機器搭載部材２０及びスライド機器２１をマウントアングル１８に対して機器搭載部材２０及びスライド機器２１を着脱自在な構成としてもよい。これにより、ラック１２内にネットワーク製品とストレージ製品等とを混載する処理を容易化することができる。
【００４７】
この際、ラック１２内には、冷却風１９の機器本体１６ａ内における通過方向が長手方向に設定されたネットワーク製品と、冷却風の機器本体内における通過方向が機器本体の長手方向に略直行する方向に設定されたストレージ製品等とが混載された構成となる。
【００４８】
以上のような構成を用いることで、図４のケーブル処理スペース１０１が不要となり、電子装置１０への電子機器搭載効率を向上することが可能となる。
【図面の簡単な説明】
【００４９】
【図１】従来の一例である電子装置の概略構成図である。
【図２】本発明の一実施例である電子装置の概略構成図であり、機器搭載部材がラック内に引き込まれた状態を示す図である。
【図３】本発明の一実施例である電子装置の概略構成図であり、機器搭載部材がラックから引き出された状態を示す図である。
【図４】本発明の一実施例である電子装置の外観を示す斜視図である。
【図５】本発明の一実施例である電子装置の電子機器近傍を拡大して示す斜視図であり、機器搭載部材がラック内に引き込まれた状態を示す図である。
【図６】本発明の一実施例である電子装置の電子機器近傍を拡大して示す斜視図であり、機器搭載部材がラックから引き出された状態を示す図である。
【図７】機器搭載部材を拡大して示す斜視図である。
【図８】電子機器を搭載した機器搭載部材を拡大して示す斜視図である。
【符号の説明】
【００５０】
１０    電子装置
１２    ラック
１６    電子機器
１６ａ    装置本体
１８    マウントアングル
１９    冷却風
２０    機器搭載部材
２１    スライド機器
２２    信号ケーブル
２３    ケーブル保持部
２４    操作面
２７    信号ケーブル
２９    伸縮アーム
３０    ケーブルスペース
３３    フロントパネル
３４    バックパネル
３５    吸気開口部
３６    排気開口部
３７    ケーブル取り出し部
３８    機器取付け部
４２    吸気部
４３    排気部
４４    コネクタ部
【国際調査報告】
2006103731.tif 000010
2006103731.tif 000011
2006103731.tif 000012
2006103731.tif 000013
2006103731.tif 000014
2006103731.tif 000015
2006103731.tif 000016